(57)【要約】  本発明は、高架コンクリートスラブまたは同様のものを形成するためのハードウェアアセンブリのためのブラケットアセンブリであって、ブラケットアセンブリは、支持構造に対して固定可能な本体、および、本体に依存し、本体に依存しながら本体に相対的に少なくとも上方位置および下方位置の間を移動可能である耐荷重性支持担持台を含む。関連するハードウェアアセンブリおよびその利用もまた開示される。
2014520221.tif 000002
【特許請求の範囲】
【請求項１】
高架コンクリートスラブまたは同様のものを形成するためのハードウェアアセンブリのためのブラケットアセンブリであって、ブラケットアセンブリは、支持構造に対して固定可能な本体、および、本体に依存し、本体に依存しながら本体に相対的に少なくとも上方位置および下方位置の間を移動可能である耐荷重性支持担持台を含む、前記ブラケットアセンブリ。
【請求項２】
支持担持台が、その上方位置および下方位置の間に広がる移動範囲を有し、支持担持台が、この移動範囲にわたって荷重の少なくとも一部への支持を提供するように作用する、請求項１に記載のブラケットアセンブリ。
【請求項３】
支持担持台が、その上方位置においてのみ荷重への支持を提供するように作用する、請求項１に記載のブラケットアセンブリ。
【請求項４】
担持台が、上方位置および下方位置の間をスライド可能なように、ブラケットの本体に相対的にスライド可能に取り付けられる、請求項２または３に記載のブラケットアセンブリ。
【請求項５】
担持台が、上方位置および下方位置の間をピボット可能なように、ブラケットの本体に相対的にピボット可能に取り付けられる、請求項２または３に記載のブラケットアセンブリ。
【請求項６】
ブラケットが、支持担持台を少なくとも上部に取り外し可能に固定するための手段を含む、請求項１〜５のいずれか一項に記載のブラケットアセンブリ。
【請求項７】
ブラケットアセンブリの本体が、支持構造に対する取り外し可能な固定部のために適応される、請求項１〜６のいずれか一項に記載のブラケットアセンブリ。
【請求項８】
本体が、ブリッジ部によって接続される間隙を介した１組の側部を有する、請求項１〜７のいずれか一項に記載のブラケットアセンブリ。
【請求項９】
各側部に耐荷重性支持担持台が依存する、請求項８に記載のブラケットアセンブリ。
【請求項１０】
本体が、支持構造上のシートに対して寸法決めされ適応されるＵ形状の鞍である、請求項１〜９のいずれか一項に記載のブラケットアセンブリ。
【請求項１１】
型枠支持構造が、フレームまたはスタンドの部分を含む、請求項１〜１０のいずれか一項に記載のブラケットアセンブリ。
【請求項１２】
型枠支持構造またはその部分が梁である、請求項１〜１１のいずれか一項に記載のブラケットアセンブリ。
【請求項１３】
荷重が、コンクリートキャスティングのための型枠である、請求項１〜１２のいずれか一項に記載のブラケットアセンブリ。
【請求項１４】
型枠が、型枠パネルを含む、請求項１３に記載のブラケットアセンブリ。
【請求項１５】
型枠が、例えば、アルミニウムまたは合板シート等の材料シートを含む、請求項１３に記載のブラケットアセンブリ。
【請求項１６】
コンクリートキャスティングために位置決めされる高架コンクリートスラブを形成するために、上方位置において担持台が型枠を支持し、下方位置において担持台がスラブから間隙を介す（分離される）、請求項１３〜１５のいずれか一項に記載のブラケットアセンブリ。
【請求項１７】
下方位置において、型枠をスラブおよび担持台から分離可能なように、担持台がスラブから間隙を介す、請求項１６に記載のブラケットアセンブリ。
【請求項１８】
荷重が、プラットフォームまたはメザニンフロアまたは同様に支持できるさらなる構造要素（梁のような）の任意の１つまたはそれ以上である、請求項１〜１２のいずれか一項に記載のブラケットアセンブリ。
【請求項１９】
型枠支持構造に対する固定部のために適応される本体、および、本体に相対的に少なくとも第一位置および第二位置の間を移動可能な担持台を含む、ブラケットアセンブリであって、少なくとも第一位置においては、コンクリートキャスティングのために位置決めされる高架コンクリートスラブを形成するために、担持台が型枠を支持するように適応され、第二位置においては、担持台が第一位置から間隙を介す（すなわち分離される）、前記ブラケットアセンブリ。
【請求項２０】
高架コンクリートスラブを形成するためのハードウェアアセンブリであって、該ハードウェアアセンブリは、請求項１〜１７のいずれか一項に記載の複数のブラケットアセンブリを含み、これらのブラケットアセンブリは、高架コンクリートスラブを形成するための型枠を支持し、ハードウェアアセンブリは、スラブのために支持を提供するように適応され、該スラブはさらにブラケットアセンブリおよび型枠を介して提供される、前記ハードウェアアセンブリ。
【請求項２１】
請求項１８に記載のハードウェアアセンブリを利用して、高架コンクリートスラブを形成するための方法であって、該方法は、スラブを注入することでブラケットアセンブリの担持台がその下方位置にシフトする前に少なくとも幾らか矯正するステップを含み、それによって、型枠は他のスラブ支持ハードウェアを害することなく取り除くことが可能であり、自立できるように十分に固化される時間まで、その位置に留りスラブを支持する、前記方法。
【発明の詳細な説明】
【技術分野】
【０００１】
本発明は、コンクリート型枠を支持するための手段に関する。
本出願は、２０１１年６月２２日に出願された豪国出願Ｎｏ．２０１１９０２４３８に基づく優先権を主張し、その明細書の全体を参照により繰り込むものである。
【背景技術】
【０００２】
本発明は、高架コンクリートスラブを形成するための手段および方法に関し、応用において限定されないが、特に、これらスラブの形成において利用されるハードウェアに関する。
既知の建築慣行において、型枠は、建物の次のレベルを形成するために、地表上または
下方のフロアのレベル上に組み立てられる。型枠は、柱を作るためのボックス型（box form）、および、コンクリート梁(beam)および／または梁間に広がるフロア表面を形成するためのテーブル型（table form）を含む。
テーブル型は通常、足場によって位置決めされ保持される。足場は、足場に支持されるテーブル型と共に、地表上、または、下のフロア上で組み立てられる。テーブル型は、クレーンによって降ろされ、足場上に位置づけられる。
【０００３】
テーブル型は通常、それに対してコンクリートが注入される合板表面を有する。一連の根太（joist）が、合板の底部表面に沿って間隔を置かれ、さらなるベアラ（bearer）が、型枠を支持するための足場上に位置する根太の下の方に位置する。
足場は、支持するのに十分な強度であるため、上方に次のフロアの作るために、コンクリートが型枠に対して注入される。一度このコンクリートがセットされると、自立するようになるため、足場および型枠を真下から取り除くことができる。
通常、シザーリフト（scissor lift）機構またはプラットフォームがテーブル型を支持するために利用され、一方で足場は取り除かれる。そして、テーブル型の型枠は、コンクリート表面から引き剥がされる。建築現場から取り除くために、すべての要素は、フォークリフトおよびクレーンによって積み重ねられる。
本発明の目的および利点は、本発明の態様が実例および例示を利用して開示される、添付の図面と関連付けて以下の詳細な説明から明らかになるであろう。
【発明の概要】
【０００４】
１つの形態において、本発明は、支持構造に対して固定可能な本体、および、本体に依存し、本体に依存しながら本体に相対的に少なくとも上方位置および下方位置の間を移動可能である耐荷重性支持担持台を含む、ブラケットアセンブリにあると言える。
本発明の詳細な説明に照らして、担持台は、型枠を支えるブラケットの移動可能部である。
１つの形において、型枠は、型枠パネルを含む。代替として、型枠は、例えば、アルミニウムまたは合板シート等の材料シートを含む。
【０００５】
従来技術において当業者に明らかなように、ブラケットは他の対象物を支持するために使用されてもよい。例えばそれは、プラットフォームまたは中間階（mezzanine floor）または同様に支持できるさらなる構造要素（梁のような）のために使用されてもよい。
さらなる形態において、本発明は、支持構造に対する固定部のために適応される本体、および、本体に相対的に少なくとも上方位置および下方位置においてまたはその間で支持を提供するために移動可能な支持提供担持台を含む、ブラケットアセンブリにあると言える。
１つの形において、ブラケットアセンブリの本体は、型枠支持構造に対する取り外し可能な固定部のために適応される。
【０００６】
１つの形において、型枠支持構造は、型枠支持フレームの一部である。
１つの形において、型枠支持構造は、型枠支持フレームの梁である。
１つの形において、本体は、型枠梁上のシートに対して寸法決めされ適応されるＵ形状のサドルのように成形される。
１つの形において、担持台は、第一位置および第二位置の間に、ブラケットの本体に相対的にスライド可能に取り付けられる。
１つの形において、ブラケットは、担持台を第一位置取り外し可能に固定するための手段を含む。
１つの形において、本体は、ブリッジ部によって接続される間隙を介した１組の側部を含む。
１つの形において、前記担持台または各担持台は、これら側部の１つに相対的に移動可能である。
１つの形において、ブラケットアセンブリは、１組の担持台を含む。
【０００７】
さらなる形態において、本発明は、担持台を含む型枠支持構造の要素にあると言え、担持台は、要素に相対的に少なくとも第一位置および第二位置の間を移動可能であり、第一位置において、担持台は、コンクリートキャスティングのために位置決めされる型枠パネルを支持するように適応され、第二位置においては、担持台は第一位置から間隙を介す（すなわち分離される）。
さらなる形態において、本発明は、高架コンクリートスラブを形成するためのハードウェアアセンブリにあると言え、ハードウェアアセンブリは、複数の上記ブラケットを含み、これらのブラケットは、高架コンクリートスラブを形成するための型枠を支持し、ハードウェアアセンブリは、ブラケットおよび型枠を介して提供されるスラブのための支持に更に加えて支持を提供するように適用される。
【０００８】
さらなる形態において、本発明は、上記ハードウェアアセンブリを利用した高架コンクリートスラブを形成するための方法にあると言え、方法は、スラブを注入し、型枠を他のスラブ支持ハードウェアを妨げることなく取り外すことができるように、ブラケットの担持台がそれらの下方位置にシフトする前に、これを少なくとも幾らか矯正するステップを含み、これにより、スラブが自立できるように十分に矯正される時間までその位置に留りスラブを支持することができる。
本発明の１つまたはそれ以上の詳細な説明は、本発明の原理を例として説明する添付の図面に沿って下記に提供される。本発明が、態様を使用して説明されるが、本発明は如何なる態様にも限定されない。むしろ、本発明の範囲は、添付の特許請求の範囲にのみ限定され、本発明は、多数の代替、変更および同等のものを包含する。例示のために、多数の具体的詳細が、本発明の十分な理解を提供するために以下の詳細な説明に記載される。
本発明は、これら具体的詳細のいくつかまたは全てを利用することなく、特許請求の範囲に従って実施されてもよい。目的の明確さのために、本発明に関連する技術分野において既知の専門的な材料は、詳細に説明されておらず、よって本発明は不必要に不明瞭ではない。
本開示のより良い理解のために、以下の図面を活用することで、１つ以上の例示的態様について説明する。
【図面の簡単な説明】
【０００９】
【図１】図１は、高架コンクリートスラブを形成するためのハードウェアアセンブリの側面図である。
【図２】図２は、図１のハードウェアアセンブリの端面図である。
【図３】図３は、図１のハードウェアアセンブリの平面図である。
【図４】図４は、第一の態様によるブラケットアセンブリの端面図（ハードウェアアセンブリから）である。
【図５】図５は、図４のブラケットアセンブリの側面図である。
【００１０】
【図６】図６は、図４のブラケットアセンブリの上面図である。
【図７】図７は、担持台の１つがその第二位置（すなわち利用されていない）において示される、図４のブラケットアセンブリの端面図である。
【図８】図８は、担持台の１つがその第二位置（すなわち利用されていない）において示される、図４のブラケットアセンブリの側面図である。
【図９】図９は、第二の態様によるブラケットアセンブリの端面図である。
【図１０】図１０は、図９のブラケットアセンブリの側面図である。
【００１１】
【図１１】図１１は、図９のブラケットアセンブリの上面図である。
【図１２】図１２は、担持台の１つその第二位置（すなわち利用されていない）において示される、図９のブラケットアセンブリの端面図である。
【図１３】図１３は、担持台の１つその第二位置（すなわち利用されていない）において示される、図９のブラケットアセンブリの側面図である。
【図１４】図１４は、さらなる態様による高架コンクリートスラブを形成するためのハードウェアアセンブリの側面図である。
【図１５】図１５は、図１４のハードウェアアセンブリの端面図である。
【００１２】
【図１６】図１６は、図１４のハードウェアアセンブリの平面図である。
【図１７】図１７は、図１４のハードウェアアセンブリの詳細な側面図である。
【図１８】図１８は、図１５のハードウェアアセンブリの詳細な端面図である。
【図１９】図１９は、図１７の詳細１からの詳細図である。
【図２０】図２０は、さらなる態様による高架コンクリートスラブを形成するためのハードウェアアセンブリの側面図である。
【００１３】
【図２１】図２１は、図２０のハードウェアアセンブリの端面図である。
【図２２】図２２は、図２０のハードウェアの平面図である。
【図２３】図２３は、図２０のハードウェアアセンブリの詳細な側面図である。
【図２４】図２４は、図２１のハードウェアアセンブリの詳細な端面図である。
【００１４】
以下の詳細な説明において、同様の参照文字は、多数の視点からの図面における同様または対応する部分を指すものである。
発明の実施形態の詳細な説明
図１〜３を参照して、高架コンクリートスラブを形成するためのハードウェアアセンブリ１００が図解され、ハードウェアアセンブリ１００は、大引材（timber  bearer）１０４のアレイを支持する支持フレーム１０２を含み、それはベアラ１０４の頂部に載ってそこに垂直に伸びる根太材(timber  joist)１０６のアレイを順に支持する。
【００１５】
根太材１０６は、ブラケットのアレイ１を支持し、これらブラケット１は、
例えば、商標名‘ＡＩＲＯＤＥＣＫ（登録商標）’で市販される種類のパネル、または、例えばアルミニウムまたは合板等の材料シート等の、型枠パネル１１０を支持するように適応される。
図４〜８を参照して、各ブラケットアセンブリ１は、根太１０６に対する取り外し可能な固定のために適応される本体２、および、本体２に相対的に少なくとも第一位置および第二位置の間を移動可能である担持台４を含む。第一位置（図４参照）において、担持台４は、高架コンクリートスラブを形成するために、型枠パネル１１０を定位置に支持するように適応され、第二位置（図７参照）においては、担持台４は第一位置から間隙を介す（すなわち分離される）。
【００１６】
担持台４はまた、型枠パネル１１０を支えるブラケットアセンブリ１の移動可能な部分である。
ブラケットアセンブリ１の本体２は、根太１０６上に着座するように寸法決めされ適合されたＵ形状の鞍のような形に成形される。このＵ形状の鞍は、最上部にあるブリッジ部８によって接続される、間隙を介した１組の側部６を含む。使用において、Ｕ形状の鞍のブリッジ部８は、根太１０６上に掛けられ、側部６は、根太１０６の側面に対向して下方に伸びる。ねじ式スタッド（stud）１０は、ブラケットアセンブリ１の側部６の各々から伸びる。
担持台４がその第一および第二位置の間を枢動できるように、側部６の各々は担持台４を本体２に回動可能に接続するヒンジ１２において終端する。
【００１７】
担持台は、ガセット（gusset）１８によって強化される外側に伸びるフランジ１６においてその最外端で終端するプレート状のウィング（wing）１４を含む。型枠パネル１１０がブラケットアセンブリ１によって支持されるときに、型枠パネルの端部が静止するのは、この外側に伸びるフランジ１６の上である。型枠パネル１１０をフランジ１６上に保持するために補助する、フランジ１６の外縁から伸びる上方へ方向付けられたリップ（lip）２０が存在する。上方へ方向付けられたリップ２０にはギャップ（gap）２２が存在し、このギャップ２２は、その中に２つのパネル１１０の端部が位置することができるように寸法決めされており、１つのブラケットアセンブリ１は、２つの型枠パネル１１０を支持することができる。
【００１８】
担持台ウィング１４は、第一位置にあるとき、フランジ１６が根太１０６の上面の高さにまたは略その高さに位置するように上方に伸び、ブラケット本体２の側部６に隣接する。ウィング１４を通る開口部２４が存在し、担持台ウィング１４がこの第一位置にあるときは、ねじ式スタッド２４はこれを通して伸びることができる。担持台ウィング１４がこの第一位置にあることで、担持台１４を第一位置に取り外し可能に位置決めするためにねじ式スタッド１０の中へナット２６をねじ止めすることができる。
その第二位置から取り外し動かすとき、担持台ウィング１４は、そのヒンジ１２からぶら下がり、利用されないナット２６はウィング１４で終端する繋紐（tether）２８からぶら下がるので、ナット２６は高所から不適切に落ちる事がない。
【００１９】
どのように利用されるかを説明する、図１〜３をもう一度参照して、１つ以上の型枠パネル１１０は、隣接する支持フレーム１０２の間に架けることができ、１組の隣接する根太１０６は、順にブラケット１を支持し、型枠パネル１１０を支持するように構成される。
型枠パネル１１０はそれらに対して幾らかの深さを有するため、埋め材（infill）梁１０８は、根太１０６の上面および型枠パネル１１０の上面の間に存在する隙間を埋めるために根太１０６の上に載せられる。
合板シート、ストリップ（strip）１１２およびティンバーは、コンクリートスラブを注入する前に、型枠パネル１１０の中および周りの任意のギャップを埋めるために利用することができる。
【００２０】
これらブラケットアセンブリ１の利点は、コンクリートスラブが形成された後に、スラブが支持されない状態で放置することなく、型枠パネル１１０を他の場所に利用するために取り外すことができることである。
例えば、スラブを注入して３日後に型枠パネル１１０を取り除くことが可能であるが、残りのスラブ支持ハードウェアは、スラブを注入した後１４日間は位置決めしたまま保持することが必要である。この場合、残りのスラブ支持ハードウェアが取り除かれるまでに経過する１１日間の間に、同じ型枠パネル１１０は追加の３つのスラブを形成するために使用することができる。したがって、要求される型枠パネル１１０の数の節約が達成される。
型枠パネル１１０は、ナット２６をブラケットアセンブリのねじ式スタッド１０から取り除き、担持台ウィング１４をその型枠パネル１１０を支持する第一の位置、または使用位置、から、その第二の、下方つるし位置へ回転させることで取り除かれる。そして型枠パネル１１０は隣接する支持フレーム１０２および隣接する支持根太１０６の間に引き下げることができる。
【００２１】
図９〜１１を参照して、代替の態様によるブラケットアセンブリ２００が示される。
ブラケットアセンブリ２００の担持台２０４は、ブラケットアセンブリ２００の本体２０２に相対的にスライド可能に取り付けられるため、第一および第二位置の間を垂直にスライド可能である。
第一の態様によるブラケットアセンブリ１と同様に、ブラケットアセンブリ２００の本体２は、根太１０６上に着座するように寸法決めされ適応されるＵ形状の鞍のように成形される。このＵ形状の鞍は、最上部のブリッジ部８によって接続される１組の間隙を介した側部６を含む。そして使用において、Ｕ形状の鞍のブリッジ部８は、根太１０６の上に掛かり、側部６は根太１０６の側面に対向して下方に伸びる。
【００２２】
担持台２０４は、ガセット１８によって強化される外側に広がるフランジ１６において、その最上部で終端するプレート２０６を含む。
各側部６は、その内側６ｂおよび外側部６ａの間のスロット形状のトラックを画定し、そこには担持台２０４のプレート２０６がスライド可能に保持される。
担持台２０４は、使用中は、担持台プレート、ブラケット側部および根太１０６の各々において整列した、開口部２１２を貫通するピン２１０を利用して、第一位置に取り外し可能に固定することができる。
【００２３】
第一の態様によるブラケット１と同様に、コンクリートスラブが形成された後に、残されたスラブ支持ハードウエアを邪魔することなく、型枠パネル１１０を他の場所に利用するために取り外すことができ、スラブ支持ハードウエアは  これにより、スラブが自立できるように十分に矯正される時間までその位置に留りスラブを支持することができる。
パネルは、ピン２１０を取り除き、担持台２０４を、その第一位置または型枠パネル１１０を支持する使用位置から、その第二位置へスライドさせることで取り除かれる。
【００２４】
型枠パネルを従来のハードウェアアセンブリから取り除くことができる場合は、スラブは、支柱（props）の頭部上のポイントでのみ支持されたままになっていた。よって、本発明によるシステムの利点は、型枠パネルが取り除かれた後に、スラブが連続的な梁（根太１０６）上で支持されたままになることである。当然のことながら、梁はその長さに渡ってスラブの重さを分散することができ、これに対して、支柱上のポイントにおいてスラブを支持すると、スラブに高い応力集中ポイントを作ってしまうことになる。
よって、本発明は、型枠パネル１１０を支持する根太１０６を害することなく、型枠パネル１１０を取り除くことができることによる利点を提供し、そのことは、これら根太１０６をそのままの位置にとどまって、固化の終了までスラブを支持することができ、一方で、型枠パネル１１０を他の場所で利用可能にすることができることを意味する。
【００２５】
図１４〜１９を参照して、高架コンクリートスラブを形成するためのハードウェアアセンブリ５００が示され、これは、ブラケット１の担持台４が、中間梁５０２を支持し、中間梁が順に型枠パネル１１０を支持するという点においてハードウェアアセンブリ１００とは異なる。
図２０〜２４を参照して、高架コンクリートスラブを形成するためのハードウェアアセンブリ６００が示され、これは、ブラケット２００の担持台２０４が、中間梁６０２を支持し、中間梁が順に型枠パネル１１０を支持するという点においてハードウェアアセンブリ５００とは異なる
【００２６】
ハードウェアアセンブリ５００および６００は、上記ハードウェアアセンブリ１００のすべての利点を提供し、さらにブラケット１または２００の位置決めに型枠の寸法による強制がないという追加の利益を伴い、この場合も、前記のもののように型枠パネル１１０が隣接する端部で支持される、型枠パネル１１０を実現する。このように、同じ数の型枠パネル１１０を、より少ないブラケット１または２００を利用して支持することが可能である。
詳細な説明および以下の特許請求の範囲を通して、文脈で示されない限り、単語“含”および“包含”、および、“含む”および“包含する”などの変化は、規定された整数または整数の群の包含を意味すると理解することができるが、任意の他の整数または整数の群を除外するものではない。
【００２７】
詳細な説明におけるどのような先行技術の参照も、先行技術が共通の一般的な知識の一部を形成するように、提案のどのような形に限定されるものではない。
当業者には明らかなように、本発明のその使用は、説明された特定の応用に限定されるものではない。また、本発明は、ここで説明または示された特定の要素および／または特徴に関して、その好ましい態様に限定されるものではない。当然のことながら、本発明の原理から離れることなく様々な改良が可能である。したがって、本発明は、その範囲内のすべての改良を含むものであると理解されなければならない。
【図１−２】
2014520221.tif 000003
【図３】
2014520221.tif 000004
【図４−８】
2014520221.tif 000005
【図９−１３】
2014520221.tif 000006
【図１４−１５】
2014520221.tif 000007
【図１６】
2014520221.tif 000008
【図１７−１９】
2014520221.tif 000009
【図２０−２１】
2014520221.tif 000010
【図２２】
2014520221.tif 000011
【図２３−２４】
2014520221.tif 000012
【国際調査報告】
2014520221.tif 000013
2014520221.tif 000014
2014520221.tif 000015